(57)【要約】【課題】上下傾斜角度及び左右傾斜角度をスムーズで簡単に調節可能であり、微調節も簡単に素早く行うことができる角度調整アジャスタ機構を提供する。【解決手段】設置面からほぼ垂直に延在する柱状部（１３）を有する設置部（１）と、前記柱状部（１３）に沿って上下に移動可能な移動部（２〜８）とを備え、前記移動部は、所定の上下位置で前記柱状部（１３）にロック可能な第１のロック手段（２）と、左右に傾斜させることができる取り付け部（６）と、前記取り付け部（６）を所定の左右傾斜角度でロック可能な第２のロック手段（３，４）とを備える。【選択図】図２
2009021299.tif 000002
【特許請求の範囲】
【請求項１】
設置面からほぼ垂直に延在する柱状部を有する設置部と、
前記柱状部に沿って上下に移動可能な移動部とを備え、
前記移動部は、
所定の上下位置で前記柱状部にロック可能な第１のロック手段と、
左右に傾斜させることができる取り付け部と、
前記取り付け部を所定の左右傾斜角度でロック可能な第２のロック手段とを備えることを特徴とする角度調節アジャスタ機構。
【請求項２】
前記柱状部はラックを有し、
前記第１のロック手段は、前記柱状部が貫通する開口部を有するボタンを備え、
前記ボタンは、前記開口部の内側にラックと、前記柱状部のラックと前記開口部内側のラックとが互いに噛合う方向に力を加えてロックするスプリングとを備え、
前記ボタンを押すと前記スプリングが変形し、前記ラック同士の噛合いが外れ、ロックが解除されることを特徴とする請求項１記載の角度調節アジャスタ機構。
【請求項３】
前記取り付け部の下面は、凸円柱面になっており、
前記取り付け部の上面は、前記取り付け部の下面の凸円柱面と同心の凹円柱面になっており、
前記取り付け部の下に配置され、上面が前記取り付け部の凸円柱面と同じ曲率を有する凹円柱面になっている摺動部と、
前記取り付け部の上に配置され、下面が前記取り付け部の凹円柱面と同じ曲率を有する凸円柱面になっている押さえカバーとをさらに備え、
前記取り付け部は、前記取り付け部の凸円柱面が前記摺動部の凹円柱面に沿って、前記取り付け部の凹円柱面が前記押さえカバーの凸円柱面に沿って移動することによって、左右に傾斜することを特徴とする請求項１又は２に記載の角度調節アジャスタ機構。
【請求項４】
前記第２のロック手段は、
前記押さえカバーの上に配置され、水平方向に所定の角度範囲で円運動可能で、上面に突起を有するレバーと、
前記レバーの上に配置され、下面に突起を有する摺動部固定ホルダとを備え、
前記摺動部固定ホルダの突起が前記レバーの突起に乗り上げている位置にある場合、これらの突起の高さを合わせた距離だけ前記レバーが下方に移動し、前記押さえカバーを介して前記取り付け部を前記摺動部に押し付けることによってロックし、
前記摺動部固定ホルダの突起が前記レバーの突起に乗り上げていない位置にある場合、ロックが解除されることを特徴とする請求項３記載の角度調節アジャスタ機構。
【請求項５】
前記取り付け部と、前記摺動部と、前記押さえカバーのうち少なくとも１つがポリアセタール製であることを特徴とする請求項３又は４に記載の角度調節アジャスタ機構。
【請求項６】
請求項１乃至５のいずれか１項に記載の角度調節アジャスタ機構を備え、前記取り付け部が本体に取り付けられることを特徴とする機器。
【請求項７】
請求項１乃至５のいずれか１項に記載の角度調節アジャスタ機構を備え、前記取り付け部が本体に取り付けられ、前記設置部が画像投影方向に配置される脚部を備えることを特徴とするプロジェクタ装置。
【発明の詳細な説明】
【技術分野】
【０００１】
本発明は、装置の傾斜角度を調整する角度調節アジャスタ機構に関する。
本発明は、このような角度調節アジャスタ機構を備える機器及びプロジェクタ装置にも関する。
【背景技術】
【０００２】
プロジェクタ装置は、例えば、光源から出射された光を画像情報にしたがって変調し、拡大してスクリーン等に投影して画面を表示する。画面の位置をスクリーン上に合わせるために、プロジェクタ装置は、上下の傾斜角度の調節と、左右の傾斜角度の調節とを行えるアジャスタ機構を脚部に備えるものが広く実用化されている。
【０００３】
特許文献１には、フットストッパの操作により大まかな高さ調節が可能で、フット自体を旋回させることにより高さの微調節が可能な高さ調節用フットを、左右前部に各々備えたプロジェクタ装置が記載されている。
【０００４】
特許文献２には、前方天面に設けたアジャスタボタンを操作して前方ほぼ中央に設けた１本の脚を上下させることによって高さや角度を調節することができるプロジェクタ装置が記載されている。
【０００５】
特許文献３には、ウォームを有する高さ調整軸と、前記ウォームに噛合するラックを有する調整脚と、前記ウォーム及びラックの噛合部を含む前記高さ調整軸と調整脚を収納するアジャスタケースを備え、前記高さ調整軸を回転させることにより前記調整脚の前記アジャスタケースからの突出長さを調整するアジャスタ装置と、このようなアジャスタ装置を左右前部と後部ほぼ中央とに各々取り付けたプロジェクタ装置が記載されている。
【０００６】
【特許文献１】特開２０００−３４７２８９号公報
【特許文献２】特開２００４−５４０３９号公報
【特許文献３】特開２００６−１０６４８７号公報
【発明の開示】
【発明が解決しようとする課題】
【０００７】
従来のプロジェクタ装置に備わるアジャスタ機構は、上下傾斜角度の調節と、左右傾斜角度の調節とを同時に行えないという問題があった。特許文献１に記載のプロジェクタ装置では、上下傾斜角度を調節する際には、左右前部の各々の高さ調節用フットを同程度の量ずつ調節する必要があり、左右傾斜角度の調節は、左右前部の各々の高さ調節用フットの調節量を異ならせることによって行わなければならなかった。特許文献２に記載のプロジェクタ装置では、上下傾斜角度の調節は、アジャストボタンの操作のみで行うことができるが、左右傾斜角度の調節はできなかった。特許文献３に記載のプロジェクタ装置では、上下傾斜角度を調節する際には、左右前部の各々のアジャスタ装置を同程度の量ずつ調節するか、後部のアジャスタ装置を調節する必要があり、左右傾斜角度の調節は、左右前部の各々のアジャスタ装置の調節量を異ならせることによって行わなければならなかった。
【０００８】
本発明は、このような事情を鑑みてなされたものであり、上下傾斜角度及び左右傾斜角度をスムーズで簡単に調節可能であり、微調節も簡単に素早く行うことができる角度調整アジャスタ機構を提供することを目的とする。
【課題を解決するための手段】
【０００９】
本発明の角度調節アジャスタ機構は、設置面からほぼ垂直に延在する柱状部を有する設置部と、前記柱状部に沿って上下に移動可能な移動部とを備え、前記移動部は、所定の上下位置で前記柱状部にロック可能な第１のロック手段と、左右に傾斜させることができる取り付け部と、前記取り付け部を所定の左右傾斜角度でロック可能な第２のロック手段とを備えることを特徴とする。このような構造とすることにより、１つの脚部構造において上下傾斜角度及び左右傾斜角度の調節を簡単に行うことができる。
【００１０】
前記柱状部はラックを有し、前記第１のロック手段は、前記柱状部が貫通する開口部を有するボタンを備え、前記ボタンは、前記開口部の内側にラックと、前記柱状部のラックと前記開口部内側のラックとが互いに噛合う方向に力を加えてロックするスプリングとを備え、前記ボタンを押すと前記スプリングが変形し、前記ラック同士の噛合いが外れ、ロックが解除されるようにしてもよい。
【００１１】
前記取り付け部の下面は、凸円柱面になっており、前記取り付け部の上面は、前記取り付け部の下面の凸円柱面と同心の凹円柱面になっており、前記取り付け部の下に配置され、上面が前記取り付け部の凸円柱面と同じ曲率を有する凹円柱面になっている摺動部と、前記取り付け部の上に配置され、下面が前記取り付け部の凹円柱面と同じ曲率を有する凸円柱面になっている押さえカバーとをさらに備え、前記取り付け部は、前記取り付け部の凸円柱面が前記摺動部の凹円柱面に沿って、前記取り付け部の凹円柱面が前記押さえカバーの凸円柱面に沿って移動することによって、左右に傾斜するようにしてもよい。
【００１２】
前記第２のロック手段は、前記押さえカバーの上に配置され、水平方向に所定の角度範囲で円運動可能で、上面に突起を有するレバーと、前記レバーの上に配置され、下面に突起を有する摺動部固定ホルダとを備え、前記摺動部固定ホルダの突起が前記レバーの突起に乗り上げている位置にある場合、これらの突起の高さを合わせた距離だけ前記レバーが下方に移動し、前記押さえカバーを介して前記取り付け部を前記摺動部に押し付けることによってロックし、前記摺動部固定ホルダの突起が前記レバーの突起に乗り上げていない位置にある場合、ロックが解除されるようにしてもよい。
【００１３】
好適には、前記取り付け部と、前記摺動部と、前記押さえカバーのうち少なくとも１つがポリアセタール製である。
【発明の効果】
【００１４】
本発明の角度調節アジャスタ機構は、上下傾斜角度及び左右傾斜角度をスムーズで簡単に調節可能であり、微調節も簡単に素早く行うことができる。
【発明を実施するための最良の形態】
【００１５】
以下、図面を参照して本発明の角度調節アジャスタ機構の実施の形態を詳細に説明する。添付した図面において、同じ参照符は同様の構成要素を示す。説明のため、本発明の角度調節アジャスタ機構を組み込むプロジェクタ装置の投影方向を前方とし、その反対方向を後方、設置面を下方とし、その反対方向を上方、投影方向を向いた状態で左手方向、右手方向を左右方向とする。
【００１６】
図１は、本発明の角度調節アジャスタ機構の外観を示す斜視図である。この角度調節アジャスタ機構は、プロジェクタ装置の左右前方の２脚として取り付けられる。
【００１７】
図２は、図１に示す角度調節アジャスタ機構の部品構成図である。本角度調節アジャスタ機構は、脚１と、ボタン２と、レバー３と、摺動部固定ホルダ４と、押さえカバー５と、本体取り付けホルダ６と、上カバー７と、下カバー８と、ボタンスプリング９と、ビス１０とを備える。以下、図２を参照して本発明の角度調節アジャスタ機構について説明する。
【００１８】
脚１は、好適にはアルミ合金等の金属製で、水平に延在する基部１１の両端に設置面上に置かれる脚部１２が設けられており、略中央にラックが設けられた垂直に延在する柱状部１３が設けられている。ボタン２は、脚１と共に上下方向の調節機構を構成する。ボタン２は、脚１の柱状部１３が貫通する開口部を有する。ボタン２の開口部のプロジェクタ装置の左右方向における寸法は、脚１の柱状部１３の横断面の左右方向における寸法よりわずかに大きくする。ボタン２の開口部のプロジェクタ装置の前後方向における寸法は、脚１の柱状部１３の横断面の前後方向における寸法より大きくする。このようにすることにより、ボタン２は、左右方向の動きは脚１の柱状部１３によって規制され、ほとんど動かないが、前後方向の動きは、脚１の柱状部１３に突き当たるまである程度動かすことができる。ボタン２の開口部の内側には脚１の柱状部１３のラックと噛合うラックが設けられている。ボタン２の開口部のラックの反対側にはボタンスプリング９が配置されており、ボタン２は、通常は、ボタンスプリング９の作用により、開口部のラックが脚１の柱状部１３のラックと噛合うように押し付けられており、所定の位置でロックされる。ボタン２を脚１の柱状部１３のほうに押すことにより、ボタン２の開口部のラックが脚１の柱状部１３のラックから外れ、ボタン２はフリーになり、上下に動かすことができるようになる。図３は、脚１とボタン２のロック状態を説明する斜視図であり、図３（ａ）は、ボタン２が脚１にロックされた状態を示し、図３（ｂ）は、ボタン２が押されてロックが解除され、脚１からフリーになった状態を示す。図４は、脚１とボタン２のロック状態を説明する断面図であり、図４（ａ）は、ボタン２が脚１にロックされた状態を示し、図４（ｂ）は、ボタン２が押されてロックが解除され、脚１からフリーになった状態を示す。
【００１９】
図２に戻って説明を続ける。ボタン２は、ビス１０によって結合される上カバー７と下カバー８によって挟まれる。上カバー７の上には、角度アジャスタ機構の他の構成要素が配置される。したがって、上カバー７と下カバー８及び他の構成要素は、ボタン２と共に上下に移動させることができる。図５は、このような上下移動を説明する図であり、図５（ａ）は、一番下の位置にある状態を示し、図５（ｂ）は、ある程度上の位置に移動させた状態を示す。図２に戻って説明を続ける。上カバー７の上に配置される本体取り付けホルダ６は、角度調節アジャスタ機構を搭載するプロジェクタ装置本体に取り付けられるため、ボタン２を押しながら上下させることにより、プロジェクタ装置本体の前方を上下させることができる。すなわち、プロジェクタ装置本体の上下傾斜角度を変化させることができる。
【００２０】
上カバー７及び下カバー８は、一体に結合した状態で前方に穴を有し、上カバー７及び下カバー８によって挟まれたボタン２の一部は、この穴から前方に突き出し、ボタン２を押すことができるようになっている。上カバー７及び下カバー８は、ほぼ中央部に脚１の柱状部１３が貫通する開口部を有する。上カバー７及び下カバー８の開口部の形状は、脚１の柱状部１３の横断面の形状とほぼ同じでわずかに大きく、上カバー７及び下カバー８の上下方向の動きは妨げられないが、前後左右方向の動きは脚１の柱状部１３によって規制され、ほとんど動かない。上カバー７の開口部は、上方に断面が変化しない筒状に突き出し、後述する摺動部固定ホルダ４にビス止めするためのビス穴が設けられている。上カバー７の上面には、プロジェクタ装置の前後方向に沿った軸を有する円柱形の一部を成す凹円柱面が形成されている。
【００２１】
上カバー７の上には本体取り付けホルダ６が配置される。本体取り付けホルダ６は、プロジェクタ装置本体に結合するためのビス穴を有する。本体取り付けホルダ６より上に配置される角度調節アジャスタ機構の構成要素は、プロジェクタ装置内に配置される。本体取り付けホルダ６は、底面に、上カバー７の上面の凹円柱面と同じ曲率を有する凸円柱面が形成されている。本体取り付けホルダ６は、ほぼ中央部に上カバー７の筒状の開口部７１が貫通する開口部を有する。本体取り付けホルダ６の開口部のプロジェクタ装置の前後方向における寸法は、上カバー７の筒状開口部７１の横断面の前後方向における寸法よりわずかに大きくする。本体取り付けホルダ６の開口部のプロジェクタ装置の左右方向における寸法は、上カバー７の筒状開口部７１の横断面の左右方向における寸法より大きくする。このようにすることにより、本体取り付けホルダ６は、前後方向の動きは上カバー７の筒状開口部７１によって規制され、ほとんど動かないが、左右方向の動きは、上カバー７の筒状開口部７１に突き当たるまである程度動かすことができる。本体取り付けホルダ６の上面は、下面の凸円柱面と同心の円柱形の一部を成す凹円柱面に形成されている。
【００２２】
本体取り付けホルダ６の上面の凹円柱面上には、押さえカバー５が配置される。押さえカバー５は、ほぼ中央部に上カバー７の筒状の開口部７１が貫通する開口部を有する。押さえカバー５の開口部の形状は、上カバー７の筒状の開口部７１の横断面の形状とほぼ同じでわずかに大きく、押さえカバー５の上下方向の動きは妨げられないが、前後左右方向の動きは上カバー７の筒状の開口部７１によって規制され、ほとんど動かない。押さえカバー５の下面は、本体取り付けホルダ６の上面の凹円柱面と同じ曲率を有する凸円柱面に形成されている。押さえカバー５は、上面後部ほぼ中央において、後述するレバー３の下面の穴３１に嵌合する突起５１を有する。
【００２３】
押さえカバー５の上にはレバー３が配置される。レバー３は、下面後部ほぼ中央において、押さえカバー５の上面後部ほぼ中央の突起５１が嵌合する穴３１を有する。レバー３は、ほぼ中央部に上カバー７の筒状の開口部７１が貫通する開口部を有する。レバー３の開口部は、レバー３の穴３１（押さえカバー５の突起５１）を中心とする水平方向の円運動をある程度許容するような寸法を有する。レバー３の前方一部はプロジェクタ装置本体から外に突き出し、この突き出した部分を左右に動かすことにより、レバー３の開口部が上カバー７の筒状の開口部７１に突き当たるまで、レバー３の穴３１（押さえカバー５の突起５１）を中心とする水平方向の円運動をさせることができる。レバー３の上面には、突起３２が設けられている。
【００２４】
レバー３の上には、摺動部固定ホルダ４が配置される。摺動部固定ホルダ４は、水平に配置される平板部を有し、この平板部は、上カバー７の筒状の開口部７１にビス１０によって固定される。摺動部固定ホルダ４の平板部は、ほぼ中央において開口部を有し、上カバー７の筒状の開口部７１から突き出した脚１の柱状部１３が貫通する。摺動部固定ホルダ４は、その平板部の開口部から突き出した脚１の柱状部１３を覆うカバー部を有する。上カバー７の筒状の開口部７１に固定された摺動部固定ホルダ４の平板部の下面は、押さえカバー５の上面から所定の間隔をおいて位置し、この間隔は、少なくともレバー３の突起３２を含む厚みより大きくし、前記レバー３の円運動を妨げないようにする。摺動部固定ホルダ４の平板部の下面には突起（図示せず）が設けられている。この摺動部固定ホルダ４の突起は、レバー３の円運動においてレバー３の上面の突起３２が通過する軌道上に設けられる。レバー３の突起３２に摺動部固定ホルダ４の突起が乗り上げていない状態では、押さえカバー５と上カバー７の間に位置する本体取り付けホルダ６は、上カバー７の上面の凹円柱面と本体取り付けホルダ６の下面の凸円柱面が沿うように、かつ、本体取り付けホルダ６の上面の凹円柱面と押さえカバー５の下面の凸円柱面が沿うように左右に摺動することができ、この際には、本体取り付けホルダ６の上面は左右に傾く。したがって、本体取り付けホルダ６の上面に固定されたプロジェクタ装置の本体を、脚１に対して（したがって設置面に対して）左右に傾けることができる。レバー３を左右に動かし、レバー３の突起３２に摺動部固定ホルダ４の突起が乗り上げている状態にすると、レバー３はこれらの突起を合わせた距離だけ下方に移動し、押さえカバー５を本体取り付けホルダ６に押し付ける。これにより、本体取り付けホルダ６は、上カバー７に押し付けられ、押さえカバー５と上カバー７に挟まれて固定される。この状態において、プロジェクタ装置本体の脚１に対する左右の傾きは固定される。すなわち、レバー３の突起３２に摺動部固定ホルダ４の突起が乗り上げていない本体取り付けホルダ６がフリーの状態で、プロジェクタ装置本体の左右の傾きを変化させ、所望の傾斜角度になった状態でレバー３を動かしてレバー３の突起３２に摺動部固定ホルダ４の突起が乗り上げている状態にして本体取り付けホルダ６をロックすることによって、プロジェクタ装置本体を所望の左右傾斜角度に固定することができる。
【００２５】
図６は、このようなレバー３による左右傾斜のロックを説明する斜視図であり、図６（ａ）はロック状態、図６（ｂ）はロック解除状態を示す。図６（ａ）に示す状態は、プロジェクタ装置本体の正面から見て本体取り付けホルダ６が右に移動している状態、すなわち、左側に傾斜している状態である。図６（ｂ）に示す状態は、本体取り付けホルダ５がほぼ中央に位置している状態、すなわち、水平になっている状態である。
【００２６】
摺動する本体取り付けホルダ６と、押さえカバー５及び上カバー７は、滑りやすくするために、例えば、ポリアセタール等で成形することが好ましい。
【００２７】
上述したように、本発明の角度調節アジャスタ機構は、１つの脚部構造において上下傾斜角度及び左右傾斜角度の調節を簡単に行うことができる。図７（ａ）及び図７（ｂ）は、本発明の角度調整アジャスタにおける上下傾斜角度及び左右傾斜角度の調節を説明する断面図である。図７（ａ）及び図７（ｂ）は、角度調整アジャスタが取り付けられるプロジェクタ装置本体の正面を眺めている状況であるとする。図７（ａ）に示す状態は、本体取り付けホルダ６が一番下の位置にあり、かつ、右に移動している状態であり、すなわち、本体取り付けホルダ６に取り付けられたプロジェクタ装置本体は、上下傾斜が０度であり、かつ、左側に傾斜している状態である。図７（ｂ）に示す状態は、本体取り付けホルダ６が上方に移動しており、かつ、右に移動している状態であり、すなわち、本体取り付けホルダ６に取り付けられたプロジェクタ装置本体は、上方に傾斜しており、かつ、左側に傾斜している状態である。
【００２８】
上述した本発明の角度調節アジャスタ機構は、プロジェクタ装置に組み込むことが好適であるが、他の機器に組み込んでもよい。
【産業上の利用可能性】
【００２９】
本発明は、角度調節アジャスタ機構に利用可能である。
【図面の簡単な説明】
【００３０】
【図１】本発明の角度調節アジャスタ機構の外観を示す斜視図である。
【図２】本発明の角度調節アジャスタ機構の部品構成図である。
【図３】脚１とボタン２のロック状態を説明する斜視図であり、（ａ）はボタン２が脚１にロックされた状態を示し、（ｂ）はボタン２が押されてロックが解除され、脚１からフリーになった状態を示す。
【図４】脚１とボタン２のロック状態を説明する断面図であり、（ａ）はボタン２が脚１にロックされた状態を示し、（ｂ）はボタン２が押されてロックが解除され、脚１からフリーになった状態を示す。
【図５】ボタン２の上下移動を説明する斜視図であり、（ａ）は一番下の位置にある状態を示し、（ｂ）はある程度上の位置に移動させた状態を示す。
【図６】レバー３による左右傾斜のロックを説明する斜視図であり、（ａ）はロック状態、（ｂ）はロック解除状態を示す。
【図７】本発明の角度調整アジャスタにおける上下傾斜角度及び左右傾斜角度の調節を説明する断面図である。（ａ）は本体取り付けホルダ６が一番下の位置にあり、かつ、右に移動している状態を示し、（ｂ）は本体取り付けホルダ６が上方に移動しており、かつ、右に移動している状態を示す。
【符号の説明】
【００３１】
１  脚
２  ボタン
３  レバー
４  摺動部固定ホルダ
５  押さえカバー
６  本体取り付けホルダ
７  上カバー
８  下カバー
９  ボタンスプリング
１０  ビス
１１  基部
１２  脚部
１３  柱状部
３１  穴
３２  突起
５１  突起
７１  筒状開口部
【図１】
2009021299.tif 000003
【図２】
2009021299.tif 000004
【図３】
2009021299.tif 000005
【図４】
2009021299.tif 000006
【図５】
2009021299.tif 000007
【図６】
2009021299.tif 000008
【図７】
2009021299.tif 000009